【手続補正書】
【提出日】平成22年4月14日(2010.4.14)
【手続補正１】
【補正対象書類名】特許請求の範囲
【補正対象項目名】全文
【補正方法】変更
【補正の内容】
【特許請求の範囲】
【請求項１】
記憶装置に格納された複数のコンテンツの一覧を、ディスプレイに表示させるための情報処理装置であって、
一覧表示対象のコンテンツを、当該コンテンツが備える複数の属性の中から選択された属性に関する属性値に基づいてソートするソート手段と、
前記ソート手段でソートされたコンテンツの一覧を複数の部分一覧に分割する分割手段と、
当該複数の部分一覧のいずれかを表示対象として決定する決定手段と、
前記複数の部分一覧それぞれに対応する見出しを作成する見出し作成手段と、
前記決定手段で決定された部分一覧と、前記見出し作成手段で作成された見出しとを、前記ディスプレイに表示させるための表示データを作成する表示データ作成手段と、を有し、
前記表示データは、前記見出しが前記ディスプレイに表示され、かつその見出し上にカーソルが合わされたときに、当該カーソルが合わされた見出しに対応する部分一覧に含まれているコンテンツの属性値のうち、前記ソートに用いられた属性に関する属性値が表示されるようにするためのデータを含むことを特徴とする情報処理装置。
【請求項２】
前記表示データには、前記ソート手段でのソートに用いる属性を他の属性に変更するためのボタンが含まれ、
当該ボタンをユーザが選択して属性を変更した場合、当該変更された後の属性に関する属性値に基づいて、前記ソート手段と前記分割手段と前記決定手段と前記見出し作成手段と前記表示データ作成手段とによる処理を繰り返すことを特徴とする請求項１に記載の情報処理装置。
【請求項３】
前記表示データは、前記見出しが前記ディスプレイに表示され、かつその見出し上にカーソルが合わされたときに、当該カーソルが合わされた見出しに対応する部分一覧に含まれているコンテンツの属性値のうち、前記ソートに用いられた属性に関する属性値の、最初の属性値と最後の属性値とが表示されるようにするためのデータを含むことを特徴とする請求項１または２に記載の情報処理装置。
【請求項４】
前記表示データは、前記見出しが前記ディスプレイに表示され、かつその見出し上にカーソルが合わされたときに、当該カーソルが合わされた見出しに対応する部分一覧に含まれているコンテンツの属性値がツールチップとして表示されるようにするためのデータを含むことを特徴とする請求項１または２に記載の情報処理装置。
【請求項５】
前記表示データは、前記見出しが前記ディスプレイに表示され、かつその見出しのいずれかが押下されたときに、当該押下された見出しに対応する部分一覧が前記ディスプレイに表示されるようにするためのデータを含むことを特徴とする請求項１に記載の情報処理装置。
【請求項６】
前記ディスプレイを有するクライアント装置に対して、前記作成した表示データを送信する送信手段を更に有することを特徴とする請求項１乃至５のいずれかに記載の情報処理装置。
【請求項７】
更に、前記ディスプレイを有し、
前記作成した表示データに基づいて、前記ディスプレイに前記部分一覧と前記見出しとを表示するように制御することを特徴とする請求項１に記載の情報処理装置。
【請求項８】
前記表示データは、前記見出しが前記ディスプレイに表示され、かつその見出し上にカーソルが合わされたときに、当該カーソルが合わされた見出しに対応する部分一覧に含まれている全てのコンテンツの属性値のうち、前記ソートに用いられた属性に関する全ての属性値がドロップダウンリストとして表示されるようにするためのデータを含むことを特徴とする請求項１に記載の情報処理装置。
【請求項９】
前記表示データは、更に、前記ドロップダウンリストに表示された属性値の中からユーザが任意の属性値を選択した場合、当該選択された属性値に対応するコンテンツが前記ディスプレイに表示されるようにするためのデータを含むことを特徴とする請求項８に記載の情報処理装置。
【請求項１０】
記憶装置に格納された複数のコンテンツの一覧を、ディスプレイに表示させるための情報処理方法であって、
ソート手段が、一覧表示対象のコンテンツを、当該コンテンツが備える複数の属性の中から選択された属性に関する属性値に基づいてソートするソートステップと、
分割手段が、前記ソートされたコンテンツの一覧を複数の部分一覧に分割する分割ステップと、
決定手段が、当該複数の部分一覧のいずれかを表示対象として決定する決定ステップと、
見出し作成手段が、前記複数の部分一覧それぞれに対応する見出しを作成する見出し作成ステップと、
表示データ作成手段が、前記決定ステップで決定された部分一覧と、前記見出し作成ステップで作成された見出しとを、前記ディスプレイに表示させるための表示データを作成する表示データ作成ステップと、
を含み、
前記表示データは、前記見出しが前記ディスプレイに表示され、かつその見出し上にカーソルが合わされたときに、当該カーソルが合わされた見出しに対応する部分一覧に含まれているコンテンツの属性値のうち、前記ソートに用いられた属性に関する属性値が表示されるようにするためのデータを含むことを特徴とする情報処理方法。
【請求項１１】
記憶装置に格納された複数のコンテンツの一覧を、ディスプレイに表示させるためのコンピュータプログラムであって、
コンピュータを、
一覧表示対象のコンテンツを、当該コンテンツが備える複数の属性の中から選択された属性に関する属性値に基づいてソートするソート手段、
前記ソート手段でソートされたコンテンツの一覧を複数の部分一覧に分割する分割手段、
当該複数の部分一覧のいずれかを表示対象として決定する決定手段、
前記複数の部分一覧それぞれに対応する見出しを作成する見出し作成手段、
前記決定手段で決定された部分一覧と、前記見出し作成手段で作成された見出しと、前記ディスプレイに表示させるための表示データを作成する表示データ作成手段、
として機能させるためのコンピュータプログラムであり、
前記表示データは、前記見出しが前記ディスプレイに表示され、かつその見出し上にカーソルが合わされたときに、当該カーソルが合わされた見出しに対応する部分一覧に含まれているコンテンツの属性値のうち、前記ソートに用いられた属性に関する属性値が表示されるようにするためのデータを含むことを特徴とする、コンピュータ実行可能なコンピュータプログラム。
【請求項１２】
請求項１１に記載のコンピュータプログラムを格納した、コンピュータ読取可能な記憶媒体。
【手続補正２】
【補正対象書類名】明細書
【補正対象項目名】００１０
【補正方法】変更
【補正の内容】
【００１０】
上述した課題を解決するために、本発明の情報処理装置は、記憶装置に格納された複数のコンテンツの一覧を、ディスプレイに表示させるための情報処理装置であって、一覧表示対象のコンテンツを、当該コンテンツが備える複数の属性の中から選択された属性に関する属性値に基づいてソートするソート手段と、前記ソート手段でソートされたコンテンツの一覧を複数の部分一覧に分割する分割手段と、当該複数の部分一覧のいずれかを表示対象として決定する決定手段と、前記複数の部分一覧それぞれに対応する見出しを作成する見出し作成手段と、前記決定手段で決定された部分一覧と、前記見出し作成手段で作成された見出しとを、前記ディスプレイに表示させるための表示データを作成する表示データ作成手段と、を有し、前記表示データは、前記見出しが前記ディスプレイに表示され、かつその見出し上にカーソルが合わされたときに、当該カーソルが合わされた見出しに対応する部分一覧に含まれているコンテンツの属性値のうち、前記ソートに用いられた属性に関する属性値が表示されるようにするためのデータを含むことを特徴とする。